(57)【要約】【課題】  側枠部材２内に、帯材の帯幅方向を縦にしてピッチ配設したベアリングバー３とベアリングバー３と直交してピッチ配設した補強バー４から成る方形格子体にして、集排水桝１１のＬ字状受部１２に装着セットする集排水桝用グレーチングにおいて、路面等から流入する含塵芥雨水Ｗに含まれる塵芥物Ｄが側枠部材２に沿って存在するピットに流入して詰まったり溜ったりして「雨水の流入性を阻害したり、美観を損う」難点を解消する。【解決手段】  補強バー４の両端の側枠部材２Ａが幅広天板５を有するサイドカバー部７を備え、集排水桝１１への装着状態において、サイドカバー部７つき側枠部材２Ａとベアリングバー３Ａ間に集排水桝１１内へ連通する含塵芥水Ｗの通過空間８を設けた構造の集排水桝用グレーチング１が特徴である。【選択図】      図１
0003114224.tif 000002
【実用新案登録請求の範囲】
【請求項１】
側枠部材内に、帯材の帯幅方向を縦にしてピッチ配設したベアリングバーと該ベアリングバーと直交してピッチ配設した補強バーから成る方形格子体にして、集排水桝のＬ字状受部に装着セットする集排水桝用グレーチングにおいて、前記補強バーの両端の側枠部材が幅広天板を有するサイドカバー部を備え、前記集排水桝への装着状態において、前記サイドカバー部つき側枠部材と前記ベアリングバー間に前記集排水桝内へ連通する含塵芥水通過空間を設けた構造を特徴とする集排水桝用グレーチング。
【請求項２】
サイドカバー部を備えた側枠部材の横断面形状が、逆Ｕ字形状または略逆Ｕ字形状から成る請求項１に記載の集排水桝用グレーチング。
【請求項３】
サイドカバー部を備えた側枠部材の横断面形状が、逆Ｔ字形状または略逆Ｔ字形状から成る請求項１に記載の集排水桝用グレーチング。
【請求項４】
サイドカバー部を備えた側枠部材の横断面形状が、逆Ｌ字形状または略逆Ｌ字形状から成る請求項１に記載の集排水桝用グレーチング。
【請求項５】
サイドカバー部の表面が、滑り止め用の縞状模様または小突起模様を配設して成る請求項１〜請求項４のいずれかに記載の集排水桝用グレーチング。
【請求項６】
サイドカバー部の幅広天板の上面と前記補強バーの端部の上面が導水用谷部を形成して成る請求項１〜請求項５のいずれかに記載の集排水桝用グレーチング。
【考案の詳細な説明】
【技術分野】
【０００１】
本考案は、排水溝の中間や公園・広場等の要所に設ける「雨水等の集排水桝の上端のＬ字状受部」に装着セットする集排水桝用グレーチングに関するものである。
【背景技術】
【０００２】
一般に広く普及している集排水桝用グレーチング１０（以下、単にグレーチング１０という）は、（図３参照）帯材の帯幅方向を縦方向にして方形に枠囲いした側枠部材２の枠内に（図示のものは最外側のベアリングバー３Ａが側枠部材２に相当している）同じく帯材の帯幅方向を縦方向にしてピッチ配設したベアリングバー３と、このベアリングバー３と直交させてベアリングバー３のそれぞれの上端に連結してピッチ配設してベアリングバー３と同一上面を形成するツイストバー等の丸棒体の補強バー４から成る方形格子体を成している。
【０００３】
そして、排水溝の中間や公園・広場等の要所に設ける深孔形態の集排水桝１１の上縁内周のＬ字状受部１２に周縁部分を装着セットして使用され、側溝等からの雨水等の流水を該格子体の目を通して下方に流下させて集排水桝１１の下部に連結した地下排水管（図示しない）に導いて排水機能すると共に、その集排水桝１１の安全蓋として機能するように成っている。
【考案の開示】
【考案が解決しようとする課題】
【０００４】
以上の背景技術のグレーチング１０は、集排水桝１１のＬ字状受部１２の装着状態において、補強バー４と直交する方向の側枠部材２と、その側枠部材２に隣接するベアリングバー３Ｂの下端をＬ字状受部１２の底板１３に載置セットする形態となる。
【０００５】
従って、この部分が「底板１３を底にして側枠部材２とベアリングバー３Ｂで枠囲いしたポット部１４が存在する形態」となる。以上の配設形態からグレーチング１０に流れ込む雨水に路面塵芥や落葉・異物が混入していると、その塵芥物Ｄがそのポット部１４に落ち込んで詰まったり、上面から突き出した状態で溜る現象があり、雨水等のグレーチング１０への円滑な流入を妨げて集排水機能を低下させると共に、当該部分の美観を損う。そして、その有害な塵芥除去のメンテナンス作業が必要になってグレーチングの日常管理が煩わしくなる。
【０００６】
本考案は、以上の背景技術の難点を解消するグレーチングを提供するものである。
【課題を解決するための手段】
【０００７】
以上の技術課題を解決する本考案のグレーチングは「側枠部材内に、帯材の帯幅方向を縦にしてピッチ配設したベアリングバーと該ベアリングバーと直交してピッチ配設した補強バーから成る方形格子体にして、集排水桝のＬ字状受部に装着セットする集排水桝用グレーチングにおいて、前記補強バーの両端の側枠部材が幅広天板を有するサイドカバー部を備え、前記集排水桝への装着状態において、前記サイドカバー部つき側枠部材と前記ベアリングバー間に前記集排水桝内へ連通する含塵芥水通過空間を設けた構造」が特徴である。
【０００８】
即ち、前記構成の本考案のグレーチングは、前記補強バーの両端の側枠部材を前記サイドカバー部構造にすることによって、背景技術の有害なポット部１４を不存在に成し、塵芥物等を含む雨水を下方の集排水桝１１内へ円滑に落下流水させる思想から成るものである。
【０００９】
そして、前記基本構成の本考案のグレーチングは、前記サイドカバー部を備えた側枠部材の横断面形状が「Ｔ字形状または略Ｔ字形状」「逆Ｕ字形状または略Ｕ字形状」「逆Ｌ字形状または略逆Ｌ字形状」等の形態を採択する。
【００１０】
さらに、前記サイドカバー部の露出表面が「滑り止め用の縞状模様・小突起模様を配設した形態」または「前記天板表面と前記補強バーの端部の上面が導水用谷部を形成する形態」の態様を必要に応じて採択する。
【考案の効果】
【００１１】
前記基本構成の本考案のグレーチングは、補強バーの端部に接続した側枠部材が前記サイドカバー部を有するので、そのサイドカバー部の幅広天板が集排水桝のＬ字状受部の上方を遮蔽する構造と成り、かつ、その天板とベアリングバー間に「集排水桝内への含塵芥水通過空間」が存在しているので、当該グレーチングに流れ込む塵芥含有雨水は、その含有塵芥類が通常予測されるサイズである限り、下方へ円滑に流動落下作用する。
【００１２】
以上の特有作用から集排水桝用グレーチングの機能が良好に安定維持され、前記の背景技術の難点を円滑に解消する。
【考案を実施するための最良の形態】
【００１３】
以下、好ましい実施例を説明する。
【実施例】
【００１４】
まず、図１を参照して本考案１実施例の「集排水桝用グレーチング１（以下、単にグレーチング１という）」を説明する。即ち、方形の側枠部材２内に帯材の帯幅方向を縦にしてピッチ配設したメインバー３と、このメインバー３の上端に直交させてピッチ配設したツイストバー等の丸棒体の補強バー４から成り、集排水桝１１の上端周のＬ字状受部１２に装着するグレーチング１において、補強バー４の両端の側枠部材２Ａが、下記詳述の「幅広天板５を有するサイドカバー部７」を備えると共に、この側枠部材２Ａと「側枠部材２Ａに隣接するベアリングバー３Ａ間に含塵芥水通過空間８が設定されている。
【００１５】
詳しくは側枠部材２Ａは、横断面形状が幅広天板５と腹板６から成る略逆Ｕ字形状の鋼板製にして、最側端のベアリングバー３Ａと距離を介して平行させて補強バー４の両端に溶着固定されており、幅広天板５の上面がベアリングバー３の上面と同一面を成してグレーチング１の両側周に帯状に伸びるサイドカバー部７を形成している。
【００１６】
そして、この側枠部材２Ａから成るグレーチング１を集排水桝１１のＬ字状受部１２に載置セットすると、Ｌ字状受部１２の底板１３の先端とベアリングバー３Ａの下端との間に「グレーチング１の格子目を通過して落下してくる含塵芥雨水Ｗが円滑に通過落下できる含塵芥水通過空間８」が存在する構造に設定されている。
【００１７】
以上の図１実施例のグレーチング１はサイドカバー部７の設定によって背景技術に存在する有害な「塵芥落ち込みポット」が不存在となり、かつ前記の含塵芥水通過空間８が存在するので、グレーチング１に流れ込む含塵芥雨水Ｗ中の塵芥がグレーチング１の側周部分に嵌まる不良現象はなく、グレーチング１の上面格子目を通過した含塵芥雨水Ｗは円滑に集排水桝１１内に落下流してグレーチング１の機能が良好に安定し、背景技術の技術難点を解消する。
【００１８】
続いて、サイドカバー部７つき側枠部材２Ａの他の実施例を図２を参照して説明する。即ち、「図２（Ａ）のものは、Ｕ字底部の外面を幅広天板５にする両側曲成コーナーの逆Ｕ字形状」「図２（Ｂ）のものは１辺の底辺外面が幅広天板５となる逆Ｌ字形状」「図２（Ｃ）のものは上面が幅広天板５となるＴ字形状」の形状を有し、それぞれの幅広天板５がサイドカバー部７に成っている。
【００１９】
そして、図２（Ｄ）のものは略Ｕ字形状の側枠部材２Ａの幅広天板５と、ベアリングバー３から突き出す補強バー４の先端部分が下方に傾斜して接続され、その両者がグレーチング１に流入する含塵芥雨水Ｗの導水谷部９として機能するように構成されている。
【００２０】
以上の図２に示すものは、いずれも本考案の前記特有作用が円滑に享受できる。そして図２（Ｄ）のものは導水谷部９の存在によって含塵芥雨水Ｗのグレーチング１への導入流入性が一段と向上する。
【００２１】
さらに、本考案のサイドカバー部７つき側枠部材は、グレーチング１の上面通行者の足滑りを防止する意図から（図示しない）サイドカバー部７の表面に滑り止め小突起群があらわれる「公知の縞鋼板」や、意匠登録第１２３８５９４号のグレーチングに示される「表面平滑な小突起群をランダムに配設した滑り止め模様つき鋼板」で形成する態様を、必要に応じて採択する。
【００２２】
さらに本考案のグレーチング１は（図示しない）特開平１０−３２５１６９号公報に示される「グレーチングの１端を起立点にして起立セットできる起立自在形態、または、グレーチング１の集排水桝１１からの外しを防止する為に「グレーチング１の下面と集排水桝１１内周をチエーン連結する構造」等、グレーチングに広く普及している公知手段を必要に応じて採択する。
【００２３】
以上の各実施例の本考案のグレーチング１は、含塵芥雨水Ｗが流入しても、その塵芥物がグレーチング１に引っ掛かって詰まったり堆積することがなく円滑に流入して集排水されるので、当該部位の路面美観が良好に安定する共に、導水性が極めて安定し、その上堆積塵芥物不存在による日常メンテナンス性が向上する。以上の有用な諸効果がある。
【図面の簡単な説明】
【００２４】
【図１】本考案１実施例のグレーチングを示し、（Ａ）はその全体平面図、（Ｂ）はその側面図、（Ｃ）は使用状態の要部拡大図
【図２】本考案のグレーチングのサイドカバー部つき側枠部材の他の態様の断面図
【図３】背景技術のグレーチングを示し、（Ａ）はその全体平面図、（Ｂ）はその使用状態の側面図
【符号の説明】
【００２５】
１  本考案のグレーチング
２  側枠部材
３  ベアリングバー
４  補強バー
５  幅広天板
６  腹板
７  サイドカバー部
８  含塵芥水通過空間
９  導水谷部
１０  従来のグレーチング
１１  集排水桝
１２  Ｌ字状受部
１３  Ｌ字状受部の底板
１４  ポット部
Ｄ  塵芥物
Ｗ  含塵芥雨水
【図１】
0003114224.tif 000003
【図２】
0003114224.tif 000004
【図３】
0003114224.tif 000005